(57)【要約】【課題】穿刺部が先端に形成された導電性のガイドワイヤの基端に高周波電源接続コネクタを低コストで配置することができるコストパフォーマンスの優れた内視鏡用ドレナージチューブ留置具を提供すること。【解決手段】先端側にドレナージチューブ３が被嵌保持されるガイドワイヤ１の基端部分に取り付けられる高周波電源接続コネクタ１６を、ガイドワイヤ１の基端に軸線方向に真っ直ぐに直接接続固着された接点ピン１６ａと、接点ピン１６ａの少なくとも基部部分を囲むように配置された電気絶縁性の絶縁座１６ｂによって構成した。【選択図】　　　図１
2004041552.tif 000002
【特許請求の範囲】
【請求項１】
生体組織に穿刺される穿刺部が先端に設けられた導電性のガイドワイヤと、上記ガイドワイヤの先端寄りの位置に被嵌されて摩擦抵抗によってそこに保持されたドレナージチューブと、上記ドレナージチューブを先側に押し出せるように上記ガイドワイヤに緩く被嵌された可撓性チューブからなるプッシャーと、高周波電源コードを接続するために上記ガイドワイヤの基端に取り付けられた高周波電源接続コネクタとを有する内視鏡用ドレナージチューブ留置具において、
上記高周波電源接続コネクタを、上記ガイドワイヤの基端に軸線方向に真っ直ぐに直接接続固着された接点ピンと、上記接点ピンの少なくとも基部部分を囲むように配置された電気絶縁性の絶縁座によって構成したことを特徴とする内視鏡用ドレナージチューブ留置具。
【請求項２】
上記高周波電源接続コネクタが、上記接点ピンと上記絶縁座のみによって構成されている請求項１記載の内視鏡用ドレナージチューブ留置具。
【発明の詳細な説明】
【０００１】
【発明の属する技術分野】
この発明は、ドレナージチューブを体腔内に留置するために内視鏡の処置具挿通チャンネルに挿通して使用される内視鏡用ドレナージチューブ留置具に関する。
【０００２】
【従来の技術】
一般に、膵管や胆管内等に溜まった分泌液を排出させるために経内視鏡的にドレナージチューブを体内に留置する手技に用いられる内視鏡用ドレナージチューブ留置具は、生体組織に穿刺される穿刺部が先端に設けられた可撓性のガイドワイヤと、ガイドワイヤの先端寄りの位置に被嵌されて摩擦抵抗によってそこに保持されたドレナージチューブと、ドレナージチューブを先側に押し出せるようにガイドワイヤに緩く被嵌された可撓性チューブからなるプッシャーとを有している。
【０００３】
そして、ガイドワイヤの先端を生体組織に穿刺する際の出血をなくすために、ガイドワイヤに高周波電流を通電することができるように、高周波電源コードを接続するための高周波電源接続コネクタがガイドワイヤの基端に取り付けられている。
【０００４】
図２は、そのような従来の高周波電源接続コネクタ１０２を示しており、口金１０３が固着されたガイドワイヤ１０１の基端部分を側方から押圧する状態に高周波電源接続コネクタ１０２の接点ピン１０２ａが設けられて、その接点ピン１０２ａを囲むように絶縁座１０２ｂが配置されている。
【０００５】
【発明が解決しようとする課題】
しかし、上述のようにガイドワイヤ１０１の基端部分に側方に向けて高周波電源接続コネクタ１０２が取り付けられた構造では、高周波電源コ−ドを接続するための部材以外に、ガイドワイヤ１０１への取り付けのために多くの部材１０４〜１０８が必要となって、部品コスト及び組み立てコストが嵩んでいた。
【０００６】
そこで本発明は、ガイドワイヤの基端に高周波電源接続コネクタを低コストで配置することができるコストパフォーマンスの優れた内視鏡用ドレナージチューブ留置具を提供することを目的とする。
【０００７】
【課題を解決するための手段】
上記の目的を達成するため、本発明の内視鏡用ドレナージチューブ留置具は、生体組織に穿刺される穿刺部が先端に設けられた導電性のガイドワイヤと、ガイドワイヤの先端寄りの位置に被嵌されて摩擦抵抗によってそこに保持されたドレナージチューブと、ドレナージチューブを先側に押し出せるようにガイドワイヤに緩く被嵌された可撓性チューブからなるプッシャーと、高周波電源コードを接続するためにガイドワイヤの基端に取り付けられた高周波電源接続コネクタとを有する内視鏡用ドレナージチューブ留置具において、高周波電源接続コネクタを、ガイドワイヤの基端に軸線方向に真っ直ぐに直接接続固着された接点ピンと、接点ピンの少なくとも基部部分を囲むように配置された電気絶縁性の絶縁座によって構成したものである。
【０００８】
なお、高周波電源接続コネクタが接点ピンと絶縁座のみによって構成されていれば、部品及び組み立てのためのコストを最小限にすることができる。
【０００９】
【発明の実施の形態】
図面を参照して本発明の実施例を説明する。
図１は本発明の実施例の内視鏡用ドレナージチューブ留置具を示しており、１は、例えば導電性のあるステンレス鋼線の単線又は撚り線からなる可撓性のあるガイドワイヤであり、使用される内視鏡の処置具挿通チャンネルより例えば１０〜２０ｃｍ程度長い全長に形成されて、先端部分には、生体組織に穿刺するための穿刺部１ａが形成されている。
【００１０】
ガイドワイヤ１の表面部には、四フッ化エチレン樹脂、ポリイミド樹脂又はポリエチレン樹脂等のコーティング又はチューブ等からなる電気絶縁性の被覆１ｂが穿刺部１ａを除くほぼ全体にガイドワイヤ１と一体になるように施されている。
【００１１】
ガイドワイヤ１の先端近傍の位置には、体内における排液をするために留置されるドレナージチューブ３が、例えばガイドワイヤ１の先端の穿刺部１ａから数ｍｍ〜１ｃｍ程度の間隔をあけて被嵌されている。
【００１２】
このドレナージチューブ３は、二点鎖線で示されるように、自然状態において両端がカールしたいわゆるピッグテール型ドレナージチューブであり、体内臓器内に留置されたときに、両端のカール部が臓器内に納まってアンカーの役割を果たすものである。ただし、ドレナージチューブ３は真っ直ぐ又はＳ字形等各種のタイプのものを用いてもよい。
【００１３】
ピッグテール型のドレナージチューブ３は、例えばフッ素樹脂等の軟質プラスチックからなり、ガイドワイヤ１に被嵌された状態では弾性変形して真っ直ぐになり、元の形状に戻ろうとする自己の弾性でガイドワイヤ１との間に生じる摩擦抵抗によって、ガイドワイヤ１に保持される。
【００１４】
ドレナージチューブ３が保持された部分より手元側の部分には、ドレナージチューブ３を先側に押し出すための可撓性チューブからなるプッシャー４が、ガイドワイヤ１に全長にわたって緩く被嵌されている。
【００１５】
プッシャー４は、四フッ化エチレン樹脂、ポリイミド樹脂又はポリエチレン樹脂等の電気絶縁性の可撓性チューブによって形成されて、ガイドワイヤ１に対して進退自在に被嵌され、その先端面がドレナージチューブ３の後端面に当接している。
【００１６】
したがって、ガイドワイヤ１に沿ってプッシャー４を前方に押せば、手元側からの操作によりドレナージチューブ３をガイドワイヤ１の先端から押し出すことができる。
【００１７】
ドレナージチューブ留置具の手元側に配置された手元部本体１１は、内視鏡の処置具挿通チャンネルの入口部分に着脱自在なルアーロック雌口金部１１ａが支持筒体部１１ｂの一端側に固着され、その支持筒体部１１ｂの他端側にキャップ部１１ｃが螺合により取り付けられた構成になっている。
【００１８】
そして、プッシャー４の基端に連結固着された例えばステンレス鋼等からなるシリンダ状筒体１２が支持筒体部１１ｂ内に軸線方向に進退自在に嵌挿されていて、そのシリンダ状筒体１２を手元部本体１１に任意に固定するための手動固定ネジ１３がキャップ部１１ｃの側面に形成されたネジ孔に螺合している。１４は、手動固定ネジ１３の抜け止めのための抜け止めピンである。
【００１９】
したがって、手動固定ネジ１３を緩めれば、プッシャー４を内視鏡の処置具挿通チャンネルに対して挿脱方向に移動させるようにシリンダ状筒体１２を進退させることができ、手動固定ネジ１３を締め付ければ、シリンダ状筒体１２が手元部本体１１に固定されてプッシャー４が内視鏡に対して移動しない状態になる。
【００２０】
ガイドワイヤ１の基端部分には、一部がシリンダ状筒体１２の基端から突出した状態になる例えば電気絶縁性のプラスチックパイプ等からなる内側筒体１５が被覆１ｂを囲む状態に固着されて、シリンダ状筒体１２に対して軸線方向に進退自在に嵌挿されている。
【００２１】
そして、内側筒体１５の基端には、図示されていない高周波電源コードを接続するための高周波電源接続コネクタ１６が取り付けられていて、高周波電源接続コネクタ１６の接続端子１６ａがガイドワイヤ１と電気的に導通している。
【００２２】
したがって、ガイドワイヤ１を介してその先端の穿刺部１ａに高周波電流を通電し、目標部位への穿刺の際に出血させることなく穿刺し、それからドレナージチューブ３をプッシャー４でガイドワイヤ１に沿って押し出して目標部位に留置させることができる。１７は、シリンダ状筒体１２の基端に固着された指掛けである。
【００２３】
この実施例の高周波電源接続コネクタ１６は、導電性金属製の接点ピン１６ａとそれを囲む電気絶縁材からなる絶縁座１６ｂのみによって構成されており、接点ピン１６ａの基端側半部の軸線位置に穿設された孔内にガイドワイヤ１の先端部分が直接差し込まれてそこに半田付け等によって固着されている。したがって、接点ピン１６ａはガイドワイヤ１の基端の軸線の延長線上に真っ直ぐに位置している。
【００２４】
絶縁座１６ｂは、内側筒体１５との連結部分から接点ピン１６ａの周囲を全周にわたって囲んでおり、絶縁座１６ｂの軸線位置を貫通して配置された接点ピン１６ａの絶縁座１６ｂ内に埋設された部分には、接点ピン１６ａからの抜け止めとなる鍔状部１６ｃが突出形成されている。
【００２５】
このように、高周波電源接続コネクタ１６はガイドワイヤ１に真っ直ぐに接続固着された接点ピン１６ａとそれを囲む絶縁座１６ｂのみにより構成されているので、部品コストがかからず、組み立ても極めて簡単に行うことができる。
【００２６】
なお、本発明は上記実施例に限定されるものではなく、例えば、絶縁座１６ｂは少なくとも接点ピン１６ａの基部部分を囲むように配置されていればよい。
【００２７】
【発明の効果】
本発明によれば、高周波電源接続コネクタを、ガイドワイヤの基端に軸線方向に真っ直ぐに直接接続固着された接点ピンと、接点ピンの少なくとも基部部分を囲むように配置された電気絶縁性の絶縁座によって構成したことにより、部品コスト及び組み立てコストを大幅に低減することができ、ガイドワイヤの基端に高周波電源接続コネクタを低コストで配置することができる。
【図面の簡単な説明】
【図１】本発明の実施例の内視鏡用ドレナージチューブ留置具の側面断面図である。
【図２】従来の内視鏡用ドレナージチューブ留置具の高周波電源接続コネクタ部分の側面断面図である。
【符号の説明】
１　ガイドワイヤ
１ａ　穿刺部
３　ドレナージチューブ
４　プッシャー
１６　高周波電源接続コネクタ
１６ａ　接点ピン
１６ｂ　絶縁座
１６ｃ　鍔状部
【図１】
2004041552.tif 000003
【図２】
2004041552.tif 000004